(57)【要約】【課題】  通水管を強固に固定することができる、通水管の接続具を提供する。【解決手段】  接続具２は、接続具本体３と、ベース体４と、被取付体５と、抜脱防止部６とを備えている。ここで、接続具本体３は、通水管１が挿入される四つの受口３ａ、３ａを有している。ベース体４は、前記受口３ａの軸心に直交する方向において、接続具本体３の全体を受けるようにして支持する。被取付体５は、ベース体４に、着脱可能に取り付け固定される。抜脱防止部６は、ベース体４に設けられる第１抜脱防止部６ａと、被取付体５に設けられる第２抜脱防止部６ｂとからなる。そこで、ベース体４への被取付体５の取り付けにより、第１抜脱防止部６ａと第２抜脱防止部６ｂとが、受口３ａ内に挿入された通水管１の外周面を挟むように近接して、その通水管１の抜脱を防止する。【選択図】  図６
2007040516.tif 000002
【特許請求の範囲】
【請求項１】
通水管が挿入される複数の受口を有する接続具本体と、
前記接続具本体の全体を受けるようにして支持する一つのベース体と、
前記ベース体に着脱可能に取り付け固定される被取付体と、
前記受口内に挿入された前記通水管の抜脱を防止すべく、前記複数の受口の前側に各々設けられた抜脱防止部とを備え、
前記受口には、その受口内に挿入された前記通水管の外周面に密接して止水する止水部材が設けられており、
前記抜脱防止部の各々は、前記ベース体に設けられる第１抜脱防止部と、前記被取付体に設けられる第２抜脱防止部とからなり、前記ベース体への前記被取付体の取り付けにより、前記第１抜脱防止部と前記第２抜脱防止部とが、前記受口内に挿入された前記通水管の外周面を挟むように近接して、その通水管の抜脱を防止することを特徴とする、通水管の接続具。
【請求項２】
前記被取付体は、前記接続具本体を覆うように形成された一つの被取付体からなり、
前記接続具本体は、前記ベース体と前記被取付体との間に収容されるようにして、それらベース体と被取付体とに挟まれて支持されることを特徴とする請求項１に記載の、通水管の接続具。
【請求項３】
前記ベース体と前記被取付体とは共通の構成部材からなることを特徴とする請求項２に記載の、通水管の接続具。
【請求項４】
前記接続具本体は、前記ベース体に着脱可能に取り付け固定され、
前記被取付体は、前記第２抜脱防止部の各々に対応するように複数設けられることを特徴とする請求項１に記載の、通水管の接続具。
【請求項５】
前記第１抜脱防止部と前記第２抜脱防止部の内側には、それら第１抜脱防止部と第２抜脱防止部とが近接することで、前記受口内に挿入された前記通水管の外周面に係合して、その通水管を係止する係止爪が設けられていることを特徴とする請求項１ないし４のいずれか１項に記載の、通水管の接続具。
【請求項６】
前記係止爪は、前記受口内に挿入された前記通水管の軸方向に複数並んで設けられていることを特徴とする請求項５に記載の、通水管の接続具。
【請求項７】
前記第１抜脱防止部と前記第２抜脱防止部の内側には、前記受口内に挿入された前記通水管の外周面に当接して、前記通水管に対する前記係止爪の食い込みを所定量に規制する規制部が設けられていることを特徴とする請求項５または６に記載の、通水管の接続具。
【請求項８】
前記規制部は、前記係止爪に対して、前記通水管の周方向側、または／および、前記通水管の先端側からその反対側に向かった側に設けられていることを特徴とする請求項７に記載の、通水管の接続具。
【請求項９】
前記第１抜脱防止部と前記第２抜脱防止部は、抜脱防止本体と、その抜脱防止本体に組み付けられるとともに前記係止爪を有する係止部材とを備え、
前記抜脱防止本体は、前記係止部材が、前記通水管の先端とは反対側へ移動すると、その係止部材を前記通水管の外周面に向かって動くように案内するガイド面を有することを特徴とする請求項５ないし８のいずれか１項に記載の、通水管の接続具。
【請求項１０】
前記ベース体と前記被取付体とは、前記通水管を、仮組みされた前記ベース体と前記被取付体との間を通って前記受口に挿入可能とすべく、前記ベース体と前記被取付体とを互いに離れた離間位置に仮支持する支持手段を備えることを特徴とする請求項１ないし９のいずれか１項に記載の、通水管の接続具。
【請求項１１】
前記支持手段は、前記ベース体と前記被取付体との一方から突出する弾性変形可能な突片と、他方に設けられて前記突片を支持する支持部とからなり、
前記ベース体または／および前記被取付体を、前記離間位置から近接する方向に押圧することで、その近接を許容するように、前記突片が前記支持部に押されて弾性変形することを特徴とする請求項１０に記載の、通水管の接続具。
【発明の詳細な説明】
【技術分野】
【０００１】
この発明は、通水管を強固に固定することができる、通水管の接続具に関するものである。
【背景技術】
【０００２】
従来、通水管を接続する接続具として、図２１に示されるものがあった（例えば、特許文献１参照）。この接続具３１は、通水管３０を挿入する挿入部３２に、止水のためのシールリング３３、３３と、通水管３０の抜脱を防止するための係止リング３４、３４とが設けられていた。ここで、シールリング３３、３３は、挿入部３２の奥側に設けられ、そして、係止リング３４、３４は、挿入部３２の入り口側に設けられていた。また、この係止リング３４、３４は、接続具３１の本体部３１ａと、その本体部３１ａにねじ込まれる固定リング３１ｂとに挟み込まれることで、挿入部３２に固定されていた。なお、シールリング３３と係止リング３４とが、このような順で並ぶのは、逆にすると、シールリング３３に、通水管３０の曲げや捩れによる負荷がかかり、水漏れの原因となる虞があるからであった。
【０００３】
【特許文献１】特開２００２−１４７６６８号公報
【発明の開示】
【発明が解決しようとする課題】
【０００４】
ところで、前記従来の接続具３１にあっては、係止リング３４があるものの、通水管３０を挿入部３２に挿入するのみであったため、その通水管３０を接続具３１に強固に固定することが困難であった。しかも、通水管３０を挿入部３２に挿入していく際に、その通水管３０には、係止リング３４の爪によって、通水管３０の先端から長手方向に延びるように、傷が付いてしまい、シールリング３３による止水が不完全となる虞があった。また、一度、通水管３０を、接続具３１の挿入部３２に挿入すると、係止リング３４の爪が、通水管３０に食い付いてしまうため、通水管３０を接続具３１から取り外す必要が生じた場合であっても、係止リング３４から通水管３０を抜き取ることが困難であった。
【０００５】
この発明は、上記した従来の欠点を解決するためになされたものであり、その目的とするところは、通水管を強固に固定することができる、通水管の接続具を提供することにある。
【０００６】
また、他の目的は、通水管に長手方向の傷が付くのを防止することができる、通水管の接続具を提供することにある。
【０００７】
さらに、他の目的は、通水管の取り外しを容易にした、通水管の接続具を提供することにある。
【課題を解決するための手段】
【０００８】
この発明に係る通水管の接続具は、前記目的を達成するために、次の構成からなる。すなわち、
請求項１に記載の発明に係る通水管の接続具は、通水管が挿入される複数の受口を有する接続具本体と、前記接続具本体の全体を受けるようにして支持する一つのベース体と、前記ベース体に着脱可能に取り付け固定される被取付体と、前記受口内に挿入された前記通水管の抜脱を防止すべく、前記複数の受口の前側に各々設けられた抜脱防止部とを備える。ここで、前記受口には、その受口内に挿入された前記通水管の外周面に密接して止水する止水部材が設けられている。また、前記抜脱防止部の各々は、前記ベース体に設けられる第１抜脱防止部と、前記被取付体に設けられる第２抜脱防止部とからなる。そして、前記ベース体への前記被取付体の取り付けにより、前記第１抜脱防止部と前記第２抜脱防止部とが、前記受口内に挿入された前記通水管の外周面を挟むように近接して、その通水管の抜脱を防止する。
【０００９】
この接続具によると、抜脱防止部は、接続具本体を支持するベース体に設けられる第１抜脱防止部と、ベース体に取り付けられる被取付体に設けられる第２抜脱防止部とから構成されている。そこで、ベース体に被取付体を取り付け固定することで、第１抜脱防止部と第２抜脱防止部とが、接続具本体の受口内に挿入された通水管の外周面を挟むように近接して、その通水管の抜脱を防止する。すなわち、第１抜脱防止部と第２抜脱防止部とが近接することで、それら第１および第２抜脱防止部が通水管の外周面を強く挟み、通水管は、接続具に強固に固定される。
【００１０】
また、請求項２に記載の発明に係る通水管の接続具のように、請求項１に記載の接続具において、前記被取付体は、前記接続具本体を覆うように形成された一つの被取付体からなり、前記接続具本体は、前記ベース体と前記被取付体との間に収容されるようにして、それらベース体と被取付体とに挟まれて支持されてもよい。このように、被取付体が、接続具本体を覆うように形成された一つの被取付体からなることから、その一つの被取付体に、第２抜脱防止部の各々が設けられる。したがって、この被取付体をベース体に取り付けることで、複数の通水管を一度に接続具に接続することができる。そして、接続具本体が、ベース体と被取付体とに挟まれて支持されることから、接続具本体をベース体と被取付体とで挟む際に、ベース体に設けられた第１抜脱防止部と被取付体に設けられた第２抜脱防止部とは、受口内に挿入された通水管の外周面に向かうようにして互いに近接する。したがって、抜脱防止部が在るところに通水管が挿入される場合とは異なり、通水管に長手方向の傷が付くことが防止される。そして、通水管を接続具から取り外す際には、ベース体と被取付体とを、互いに遠ざけて、ベース体に設けられた第１抜脱防止部と被取付体に設けられた第２抜脱防止部とを、通水管の外周面から離す。そこで、通水管を、接続具本体の受口から抜き取れば、この通水管を取り外すことができる。
【００１１】
また、請求項３に記載の発明に係る通水管の接続具のように、請求項２に記載の接続具において、前記ベース体と前記被取付体とは共通の構成部材からなっていてもよい。
【００１２】
また、請求項４に記載の発明に係る通水管の接続具のように、請求項１に記載の接続具において、前記接続具本体は、前記ベース体に着脱可能に取り付け固定され、前記被取付体は、前記第２抜脱防止部の各々に対応するように複数設けられてもよい。
【００１３】
また、請求項５に記載の発明に係る通水管の接続具のように、請求項１ないし４のいずれか１項に記載の接続具において、前記第１抜脱防止部と前記第２抜脱防止部の内側には、それら第１抜脱防止部と第２抜脱防止部とが近接することで、前記受口内に挿入された前記通水管の外周面に係合して、その通水管を係止する係止爪が設けられるのが望ましい。このように、前記第１抜脱防止部と前記第２抜脱防止部に、通水管を係止する係止爪を設けることで、通水管の抜脱に抗する強度を高めることができる。
【００１４】
また、請求項６に記載の発明に係る通水管の接続具のように、請求項５に記載の接続具において、前記係止爪は、前記受口内に挿入された前記通水管の軸方向に複数並んで設けられてもよい。このように、係止爪を、通水管の軸方向に複数設けることで、通水管の抜脱に抗する強度を一層高めることができる。
【００１５】
また、請求項７に記載の発明に係る通水管の接続具のように、請求項５または６に記載の接続具において、前記第１抜脱防止部と前記第２抜脱防止部の内側には、前記受口内に挿入された前記通水管の外周面に当接して、前記通水管に対する前記係止爪の食い込みを所定量に規制する規制部が設けられてもよい。これにより、通水管に、横方向等の外力が加わった場合であっても、その通水管の動きが、規制部により止められて、係止爪が、通水管に必要以上に食い込んだり、その食い込みが浅くなったりすることを防ぐことができる。
【００１６】
また、請求項８に記載の発明に係る通水管の接続具のように、請求項７に記載の接続具において、前記規制部は、前記係止爪に対して、前記通水管の周方向側、または／および、前記通水管の先端側からその反対側に向かった側に設けられてもよい。このように規制部を設けることで、この規制部が、通水管の外周面を的確かつ強固に挟みこんで、通水管の曲がりとか捩れ等に抵抗し、止水部材にも係止爪にも、通水管の曲がりとか捩れ等による負荷がかかるのを防止することができる。
【００１７】
また、請求項９に記載の発明に係る通水管の接続具のように、請求項５ないし８のいずれか１項に記載の接続具において、前記第１抜脱防止部と前記第２抜脱防止部は、抜脱防止本体と、その抜脱防止本体に組み付けられるとともに前記係止爪を有する係止部材とを備え、前記抜脱防止本体は、前記係止部材が、前記通水管の先端とは反対側へ移動すると、その係止部材を前記通水管の外周面に向かって動くように案内するガイド面を有してもよい。これにより、通水管が、接続具本体の受口から抜け出ようとすると、その通水管とともに移動する係止部材が、抜脱防止本体に設けられたガイド面に案内されて通水管の外周面に向かって動く。こうして、通水管への係止爪の食い込みが的確となり、通水管が受口から抜け出るのを確実に防止することができる。
【００１８】
また、請求項１０に記載の発明に係る通水管の接続具のように、請求項１ないし９のいずれか１項に記載の接続具において、前記ベース体と前記被取付体とは、前記通水管を、仮組みされた前記ベース体と前記被取付体との間を通って前記受口に挿入可能とすべく、前記ベース体と前記被取付体とを互いに離れた離間位置に仮支持する支持手段を備えてもよい。これにより、ベース体と被取付体とを仮組みしたとき、支持手段によって、ベース体と被取付体とは、互いに離れた離間位置に仮支持される。そこで、通水管を、仮組みされたベース体と被取付体との間を通って接続具本体の受口に挿入する。その後、ベース体と被取付体とを近接させて組み付ける。こうして、通水管は、接続具に固定される。このように、通水管の接続にあたってベース体と被取付体とを離間位置に支持した状態で仮組みしておくことで、通水管を接続具に簡単に接続することができる。
【００１９】
また、請求項請求項１１に記載の発明に係る通水管の接続具のように、請求項１０に記載の接続具において、前記支持手段は、前記ベース体と前記被取付体との一方から突出する弾性変形可能な突片と、他方に設けられて前記突片を支持する支持部とからなり、前記ベース体または／および前記被取付体を、前記離間位置から近接する方向に押圧することで、その近接を許容するように、前記突片が前記支持部に押されて弾性変形してもよい。
【発明の効果】
【００２０】
この発明に係る通水管の接続具によれば、次の効果がある。
【００２１】
請求項１、並びに、請求項４ないし１１に記載された通水管の接続具によれば、第１抜脱防止部をベース体に設け、第２抜脱防止部を被取付体に設けることで、それら第１および第２抜脱防止部が通水管の外周面を強く挟み、通水管を接続具に強固に固定することができる。
【００２２】
また、請求項２および３に記載された通水管の接続具によれば、加えて、接続具本体をベース体と被取付体とで挟む際に、ベース体に設けられた第１抜脱防止部と被取付体に設けられた第２抜脱防止部とが、受口内に挿入された通水管の外周面に向かうようにして互いに近接するため、抜脱防止部が在るところに通水管が挿入される場合とは異なり、通水管に長手方向の傷が付くことが防止される。そして、通水管を接続具から取り外す際には、ベース体と被取付体とを、互いに遠ざけて、ベース体に設けられた第１抜脱防止部と被取付体に設けられた第２抜脱防止部とを、通水管の外周面から離し、その後、通水管を、接続具本体の受口から抜き取ることで、この通水管の取り外しを容易に行うことができる。
【発明を実施するための最良の形態】
【００２３】
以下、この発明に係る通水管の接続具を実施するための最良の形態を図面に基づいて説明する。
【００２４】
図１ないし図１０は、本発明の一実施の形態を示す。図中符号１は、配管材としての通水管であり、例えば、架橋ポリエチレンとかポリブデン等の合成樹脂管からなる。２は、前記通水管１の接続具である。
【００２５】
この接続具２は、接続具本体３と、ベース体４と、被取付体５と、抜脱防止部６とを備えている。ここで、接続具本体３は、通水管１が挿入される複数（図示実施の形態においては、四つ）の受口３ａ、３ａを有している（図１参照）。この受口３ａには、その受口３ａ内に挿入された通水管１の外周面に密接して止水する止水部材としての、Ｏリング等のパッキン７が設けられている。詳細には、接続具本体３は、例えば合成樹脂製の、本体部８およびストッパー９と、前記パッキン７とからなる。本体部８は、中空状に形成されており、四方には、その四方に向かって開口する筒部８ａ、８ａが形成されている。この筒部８ａ内は、手前ほど径大となるように、奥側から手前側に向かって順に、第１の段部８ｂと第２の段部８ｃが形成されている。ストッパー９は、パッキン７を抜止めするためのものであり、筒状に形成され、その一端に鍔部９ａが形成されている。そこで、筒部８ａ内であって、前記第２の段部８ｃよりも手前側に、前記パッキン７が挿入される。その後、筒部８ａ内に、ストッパー９が、その鍔部９ａとは反対側を先にして挿入される。こうして、本体部８の筒部８ａ、パッキン７およびストッパー９によって、前記受口３ａが形成される。なお、これら受口３ａ、３ａは、図１において、右側が径大に形成され、左側および前後側が径小に形成されている。そして、これら受口３ａ、３ａのサイズに合わせるように、右側の受口３ａには、径大の通水管１が挿入され、左側および前後側の受口３ａ、３ａには、径小の通水管１、１が挿入される（図３参照）。そこで、水は、右側の径大の通水管１から接続具本体３内に流れ込み、左側および前後側の通水管１、１に分岐する。
【００２６】
ベース体４は、前記受口３ａの軸心に直交する方向において、接続具本体３の全体を受けるようにして支持するものである。詳細には、ベース体４は、例えば、合成樹脂製であって略方形に形成されたベース体本体１０と、後述する第１抜脱防止部６ａとからなる。ここにおいて、ベース体本体１０には、その一方の面１０ａ（内側面）の中央に、窪むようにして、接続具本体３が収容される収容部１０ｂが形成されている。図示実施の形態においては、収容部１０ｂには、接続具本体３のちょうど半分の高さが収容される。そして、ベース体本体１０の前記一方の面１０ａ（内側面）には、収容部１０ｂから四方に延びて外方に通ずるように窪み、後述する第１抜脱防止部６ａが収容される凹部１０ｃが形成されている。
【００２７】
被取付体５は、ベース体４に、例えばネジ部材１１、とナット１２、１２を用いて、着脱可能に取り付け固定される（図７参照）。この被取付体５は、接続具本体３を覆うように形成された一つの被取付体からなる。そして、前記接続具本体３は、前記ベース体４とこの被取付体５との間に収容されるようにして、それらベース体４と被取付体５とに挟まれて支持される。図示実施の形態においては、前記ベース体４とこの被取付体５とは、共通の構成部材からなり、それらの一方が反転されて、互いに組み付けられる。すなわち、被取付体５は、前記ベース体本体１０と共通の構成部材である被取付体本体１３と、前記第１抜脱防止部６ａと共通の構成部材である後述の第２抜脱防止部６ｂとからなる。つまり、被取付体本体１３は、ベース体本体１０と同様に、一方の面１３ａ（内側面）に、接続具本体３が収容される収容部１３ｂと、後述する第２抜脱防止部６ｂが収容される凹部１３ｃを備えている。なお、この被取付体５（被取付体本体１３）の表面とか、前述のベース体４（ベース体本体１０）の表面には、シールを貼るために一段下がった段部５ａ、４ａが設けられている。ここで、シールには、例えば、接続具２が使用される場所（洗面とかトイレ等）が表示されたり、あるいは、その場所を書き込むスペースが設けられたり、受口３ａに通水管１を差し込む際の挿入深さが表示されたりする。そして、これらのことは、後述する断熱部材１７（第１断熱部材１７ａおよび第２断熱部材１７ｂ）や、後述するカバー１８（第１カバー１８ａおよび第２カバー１８ｂ）においても同様である。
【００２８】
抜脱防止部６は、接続具本体３の受口３ａ内に挿入された通水管１の抜脱を防止すべく、それら複数の受口３ａ、３ａの前側に（外側に）各々設けられている。そして、抜脱防止部６の各々は、前記ベース体４に設けられる第１抜脱防止部６ａと、前記被取付体５に設けられる第２抜脱防止部６ｂとからなる。そして、ベース体４への被取付体５の取り付けにより、第１抜脱防止部６ａと第２抜脱防止部６ｂとが、前記受口３ａ内に挿入された通水管１の外周面を挟むように近接して、その通水管１の抜脱を防止する。詳細には、第１抜脱防止部６ａと第２抜脱防止部６ｂの内側には、それら第１抜脱防止部６ａと第２抜脱防止部６ｂとが近接することで、受口３ａ内に挿入された通水管１の外周面に係合して、その通水管１を係止する係止爪６ｃが設けられている。また、第１抜脱防止部６ａと第２抜脱防止部６ｂの内側には、受口３ａ内に挿入された通水管１の外周面に当接して（図示実施の形態においては、ぴったりと当接して）、通水管１に対する係止爪６ｃの食い込みを所定量に規制する規制部６ｄが設けられている。
【００２９】
具体的には、抜脱防止部６を構成する第１抜脱防止部６ａと第２抜脱防止部６ｂは、抜脱防止本体１４と、その抜脱防止本体１４に組み付けられるとともに前記係止爪６ｃを有する係止部材１５とを備えている。ここで、抜脱防止本体１４は、係止部材１５が、受口３ａ内に挿入された通水管１の先端とは反対側へ移動すると、その係止部材１５を通水管１の外周面に向かって動くように案内するガイド面１４ａを有している（図４、図６参照）。詳細には、抜脱防止本体１４は、例えば合成樹脂製であって、通水管１の外周面に対向する一の面１４ｂが、通水管１に合わせて円弧状に形成されている。そして、この一の面１４ｂには、前記係止部材１５を収容するための収容凹部１４ｃが形成されている。そして、この収容凹部１４ｃの底面が、前記ガイド面１４ａとなっている。また、抜脱防止本体１４の一の面１４ｂは、前記規制部６ｄとして機能し、この一の面１４ｂからなる規制部６ｄは、収容凹部１４ｃ、すなわち係止部材１５（係止爪６ｃ）に対して、通水管１の周方向側（図示実施の形態においては、係止部材１５を挟むように位置する周方向両側）に設けられた第１の規制部６０１、および、通水管１の先端側からその反対側に向かった側、換言すれば、反パッキン７側）に設けられた第２の規制部６０２を有している（図３参照）。また、抜脱防止本体１４には、係止部材１５を、受口３ａ側（すなわち、受口３ａに挿入された通水管１の先端側）に弾性的に付勢する付勢手段が設けられている。図示実施の形態においては、この付勢手段は、抜脱防止本体１４から一体に延設された弾性突片１４ｄからなり、係止部材１５の後述する突出片１５ｃに当接することで、その係止部材１５を、受口３ａ側に弾性的に付勢するようになっている（図４、図６参照）。
【００３０】
一方、係止部材１５は、例えば合成樹脂製であって、受口３ａ内に挿入された通水管１の外周面に対向する一の面１５ａが、通水管１に合わせて円弧状に形成されるともに、その一の面１５ａに、係止爪６ｃ、６ｃが突出して形成されている。この係止爪６ｃは、前記通水管１の軸方向に複数（図示実施の形態においては二つ）並んで設けられるとともに、通水管１の周方向に複数（図示実施の形態においては二つ）並んで設けられる。また、係止部材１５の一の面１５ａは、前記規制部６ｄとして機能し、この一の面１５ａからなる規制部６ｄは、係止爪６ｃ、６ｃに対して、通水管１の周方向側（図示実施の形態においては、周方向に並ぶ係止爪６ｃ、６ｃの間）に設けられた第３の規制部６０３、および、通水管１の先端側からその反対側に向かった側、換言すれば、反パッキン７側に設けられた第４の規制部６０４を有している（図３参照）。
【００３１】
そして、係止部材１５は、一の面１５ａとは反対側に位置して、抜脱防止本体１４の傾斜する前記ガイド面１４ａに当接する他の面１５ｂが、そのガイド面１４ａに沿うように傾斜して形成されている。このように、抜脱防止本体１４および係止部材１５を形成することで、通水管１が、接続具本体３の受口３ａから抜け出ようとすると、その通水管１とともに移動する係止部材１５が、抜脱防止本体１４に設けられたガイド面１４ａに案内されて通水管１の外周面に向かって動く。こうして、通水管１への係止爪６ｃ、６ｃの食い込みが的確となり、通水管１が受口３ａから抜け出るのを確実に防止することができる。なお、係止部材１５における一の面１５ａは、通水管１の外周面に沿うよう円弧状に形成されており、他の面１５ｂは、ガイド面１４ａと同様に平面状に形成されている。また、抜脱防止本体１４には、ガイド面１４ａに通孔１４ｅが明けられている。そして、係止部材１５には、他の面１５ｂから突設された突出片１５ｃが設けられている。そして、この突出片１５ｃが抜脱防止本体１４の通孔１４ｅに挿入され、この突出片１５ｃに設けられた係合突部（図示せず）が、通孔１４ｅの周縁に係合する。こうして、係止部材１５は、抜脱防止本体１４に組み付けられるが、このとき、係止部材１５の、通水管１の長手方向への移動を妨げないように、通孔１４ｅは、突出片１５ｃにおける通孔１４ｅ内に留まる部位よりも長く形成されている（図４、図６参照）。
【００３２】
この接続具２に通水管１を接続するには、予め、内部に接続具本体３を収容するようにして、ベース体４と被取付体５とを、それらベース体４と被取付体５との間に間隙Ｓを設けた状態で組み合わせておく。このとき、ベース体４と被取付体５とは、ネジ部材１１とそのネジ部材１１が螺合するナット１２により、繋がれているのが好ましい。そして、接続具本体３の各々の受口３ａに、通水管１を挿入する（図４、図５参照）。ここにおいて、ベース体４と被取付体５とに設けられる、係止部材１５は、弾性突片１４ｄによって受口３ａ側に弾性的に付勢されて、抜脱防止本体１４のガイド面１４ａに沿って受口３ａ側に寄った位置に位置して、通水管１の外周面から離れた側にある。したがって、この係止部材１５（係止爪６ｃ）が、通水管１の挿入を妨げることがない。
【００３３】
その後、ネジ部材１１をナット１２に締め付けることで、ベース体４に被取付体５を取り付け固定する（図６、図７参照）。このとき、ベース体４と被取付体５とは、互いに近接して、すなわち、ベース体４に設けられた第１抜脱防止部６ａ（係止部材１５）と被取付体５に設けられた第２抜脱防止部６ｂ（係止部材１５）とが近接して通水管１の外周面を挟む。こうして、通水管１は、この接続具２に接続される。なお、図中符号１６は、通水管１の潰れを防止するためのコア部材であり、通水管１内に、その先端から挿入される。また、この接続具２は、全体がボックス形状（箱型形状）をしており、特に、ベース体４の背面がフラット状に形成されている。そこで、この接続具２は、配管の中継ポイント等において、例えば前もって、ベース体４の背面が設置面に当接するようにして、その設置面にビス等で固定される。そして、その後に、通水管１が、前述の方法で、接続具２に接続される。
【００３４】
ところで、図８は、接続具２を断熱部材１７で覆う場合を示している。ここで、断熱部材１７は、ベース体４側を覆う第１断熱部材１７ａと、被取付体５側を覆う第２断熱部材１７ｂとから構成されている。また、図示実施の形態においては、断熱部材１７をさらにカバー１８が覆っている。そして、このカバー１８もまた、第１断熱部材１７ａを覆う第１カバー１８ａと、第２断熱部材１７ｂを覆う第２カバー１８ｂとで構成されている。
【００３５】
また、図９は、複数の受口３ａ、３ａの一つに接続アダプター１９を挿入する場合を示している。この接続アダプター１９は、両端が開口する真直ぐな筒形状をしている。そして、接続アダプター１９の、受口３ａに挿入される一方側の外周面には、係止爪６ｃ、６ｃが係合する溝１９ａ、１９ａが設けられている。また、接続アダプター１９の他方側に、通水器具等が連結されるように、外周面にネジ部を備えたテーパ筒状の連結部１９ｂを備えている。
【００３６】
また、図１０は、複数の受口３ａ、３ａの一つに止水栓２０を挿入する場合を示している。この止水栓２０は、使用しない受口３ａを塞ぐものであり、例えば、一端が閉じた筒形状をしている。そして、止水栓２０の外周面には、係止爪６ｃが係合する段部２０ａが設けられている。
【００３７】
次に、以上の構成からなる接続具２の作用効果について説明する。この接続具２によると、抜脱防止部６は、接続具本体３を支持するベース体４に設けられた第１抜脱防止部６ａと、ベース体４に取り付けられる被取付体５に設けられた第２抜脱防止部６ｂとから構成されている。そこで、ベース体４に被取付体５を取り付け固定することで、第１抜脱防止部６ａと第２抜脱防止部６ｂとが、接続具本体３の受口３ａ内に挿入された通水管１の外周面を挟むように近接して、その通水管１の抜脱を防止する。すなわち、第１抜脱防止部６ａと第２抜脱防止部６ｂとが近接することで、それら第１抜脱防止部６ａと第２抜脱防止部６ｂが通水管１の外周面を強く挟み、通水管１は、接続具２に強固に固定される。つまりは、第１抜脱防止部６ａをベース体４に設け、第２抜脱防止部６ｂを被取付体５に設けることで、それら第１および第２抜脱防止部６ａ、６ｂが通水管１の外周面を強く挟み、通水管１を接続具２に強固に固定することができる。
【００３８】
さらに、図示実施の形態においては、第１抜脱防止部６ａと第２抜脱防止部６ｂに、通水管１を係止する係止爪６ｃを設けており、この係止爪６ｃにより、通水管１の抜脱に抗する強度を高めることができる。しかも、係止爪６ｃを、通水管１の軸方向に複数（図示実施の形態においては、二列）設けているため、通水管１の抜脱に抗する強度を一層高めることができる。その上、通水管１が、接続具本体３の受口３ａから抜け出ようとすると、その通水管１とともに移動する係止部材１５が、抜脱防止本体１４に設けられたガイド面１４ａに案内されて通水管１の外周面に向かって動く。こうして、通水管１への係止爪６ｃの食い込みが的確となり、通水管１が受口３ａから抜け出るのを確実に防止することができる。
【００３９】
また、第１抜脱防止部６ａと第２抜脱防止部６ｂとの内側には、通水管１に対する係止爪６ｃの食い込みを所定量に規制する規制部６ｄが設けられている。このため、通水管１に、横方向等の外力が加わった場合であっても、その通水管１の動きが、規制部６ｄにより止められる。したがって、係止爪６ｃが、通水管１に必要以上に食い込んだり、その食い込みが浅くなったりすることを防ぐことができる。ここで、規制部６ｄは、係止爪６ｃに対して、通水管１の周方向側とか、通水管１の先端側からその反対側に向かった側（通水管１の反先端側）とかに設けられている（詳細には、図３に示すように、係止爪６ｃに対して、通水管１の周方向側に、第１および第３の規制部６０１、６０３が設けられ、通水管１の反先端側に、第２および第４の規制部６０２、６０４が設けられる）。このように規制部６ｄを設けることで、この規制部６ｄが、通水管１の外周面を的確かつ強固に挟み込んで、通水管１の曲がりとか捩れ等に抵抗し、パッキン７にも係止爪６ｃにも、通水管１の曲がりとか捩れ等による負荷がかかるのを防止することができる。特に、規制部６ｄが、係止爪６ｃに対して、通水管１の先端側からその反対側に向かった側（通水管１の反先端側）に設けられる場合には、通水管１の先端側から順に、パッキン７と係止爪６ｃと規制部６ｄとが並ぶこととなり、通水管１を直状に保つことが容易となる。
【００４０】
また、被取付体５が、接続具本体３を覆うように形成された一つの被取付体からなることから、その一つの被取付体５に、第２抜脱防止部６ｂの各々が設けられる。したがって、この被取付体５をベース体４に取り付けることで、複数の通水管１、１を一度に接続具２に接続することができる。そして、接続具本体３が、ベース体４と被取付体５とに挟まれて支持されることから、接続具本体３をベース体４と被取付体５とで挟む際に、ベース体４に設けられた第１抜脱防止部６ａと被取付体５に設けられた第２抜脱防止部６ｂとは、受口３ａ内に挿入された通水管１の外周面に向かうようにして互いに近接する。したがって、抜脱防止部が在るところに通水管が挿入される場合とは異なり、通水管１に長手方向の傷が付くことが防止される。反対に、通水管１を接続具２から取り外す際には、ベース体４と被取付体５とを、互いに遠ざけて、ベース体４に設けられた第１抜脱防止部６ａと被取付体５に設けられた第２抜脱防止部６ｂとを、通水管１の外周面から離し、その後、通水管１を、接続具本体３の受口３ａから抜き取ることで、この通水管１の取り外しを容易に行うことができる。
【００４１】
なお、本発明は、上述した実施の形態に限定されるわけではなく、その他種々の変更が可能である。例えば、ベース体４と被取付体５とは共通の構成部材からなるが、それぞれが異なる構成部材、すなわち形状とか構造が異なる構成部材からなっていてもよい。
【００４２】
また、第１抜脱防止部６ａと第２抜脱防止部６ｂは、抜脱防止本体１４と係止部材１５とからなるが、このうちの抜脱防止本体１４は、ベース体本体１０とか被取付体本体１３と一体に形成されてもよい。また、第１抜脱防止部６ａとか第２抜脱防止部６ｂは、抜脱防止本体１４と係止部材１５との二部品からならなくとも、一部品からなっていてもよい。さらに、第１抜脱防止部６ａとか第２抜脱防止部６ｂは、それぞれ、ベース体本体１０とか被取付体本体１３と、一体に形成されてもよい。
【００４３】
また、第１抜脱防止部６ａと第２抜脱防止部６ｂの内側には、係止爪６ｃが設けられているが、この係止爪６ｃはなくともよい。
【００４４】
また、被取付体５は、接続具本体３を覆うように形成された一つの被取付体からならなくとも、図１１および図１２に示すように、第２抜脱防止部６ｂの各々に対応するように複数（図示実施の形態においては、四つ）設けられてもよい。そして、この場合には、接続具本体３は、ベース体４に、例えばネジ等の固着具２１によりにより、着脱可能に取り付け固定される。図示実施の形態においては、被取付体５は、半円状に形成された第２抜脱防止部６ｂと、その第２抜脱防止部６ｂの各端から横方向に互いに離れるように延びる取付部５ｂ、５ｂとからなる。そして、各々の被取付体５は、その取付部５ｂ、５ｂにおいて、ネジ部材１１、１１とナット１２、１２により、ベース体４に着脱可能に取り付け固定される。なお、第２抜脱防止部６ｂには、係止爪６ｃを設けていないが、勿論係止爪６ｃを設けてもよく、また、第２抜脱防止部６ｂを、抜脱防止本体と係止部材とで構成しても構わない。
【００４５】
また、以上に例示した各接続具２において、ベース体４と被取付体５とは、支持手段Ｘを備えてもよい。この支持手段Ｘは、通水管１を、仮組みされたベース体４と被取付体５との間を通って接続具本体３の受口３ａに挿入可能とすべく、ベース体４と被取付体５とを互いに離れた離間位置に仮支持するものである。図１３〜図２０に、図１〜図１０に示す接続具２とほぼ同様の構造の接続具を例として、支持手段Ｘを設けた接続具２０１を示す。以下、図１〜図１０に示す接続具２と同様の機能を有する構成部分には、同一の符号を付して、異なる部分を主に説明する。支持手段Ｘは、ベース体４と被取付体５との一方から突出する弾性変形可能な突片Ｘ１と、他方に設けられて前記突片Ｘ１を支持する支持部Ｘ２とからなる。そして、ベース体４または／および被取付体５を、前記離間位置から近接する方向に押圧することで、その近接を許容するように、突片Ｘ１が支持部Ｘ２に押されて弾性変形する。詳細には、ベース体４と被取付体５とは、共通の構成部材からなり、それらの一方が反転されて、互いに組み付けられる。すなわち、ベース体４と被取付体５との両方に、突片Ｘ１と支持部Ｘ２とが設けられ、ベース体４に設けられた突片Ｘ１と被取付体５に設けられた支持部Ｘ２とが、支持手段Ｘとしての対を形成し、同様にして、ベース体４に設けられた支持部Ｘ２と被取付体５に設けられた突片Ｘ１とが、支持手段Ｘとしての対を形成する。図示実施の形態においていは、これら支持手段Ｘ、Ｘとしての突片Ｘ１と支持部Ｘ２との対が、各抜脱防止部６の両側に設けられる。具体的には、突片Ｘ１は、ベース体４、詳細にはベース体本体１０（あるいは、被取付体５、詳細には被取付体本体１３）の周壁Ｙから、被取付体５側（あるいは、ベース体４側）に向かって突出して形成されている。そして、突片Ｘ１の、外側を向く側面が、傾斜面Ｘ０１となっている。一方、支持部Ｘ２は、被取付体５、詳細には被取付体本体１３（あるいは、ベース体４、詳細にはベース体本体１０）の周壁Ｙの、先端内方側の角部からなる（勿論、支持部Ｘ２は、角部以外の、周壁Ｙの一部、例えば周壁Ｙの内面等であってもよく、また、周壁Ｙから突出して形成されたものでもよい。）。そして、ベース体４と被取付体５とを仮組みしたとき、突片Ｘ１の傾斜面Ｘ０１が支持部Ｘ２に当接することで、これらベース体４と被取付体５とは離間位置に仮支持される。なお、図中符号２２は、パッキン７を受ける受け部材である。
【００４６】
この接続具２０１によると、この接続具２０１に通水管１を接続するには、接続具本体３の受口３ａに通水管１を挿入する前に、予め、内部に接続具本体３を収容した状態で、ベース体４と被取付体５とを、例えばネジ部材１１（詳細には、ネジ部材１１とナット１２との螺合）によって仮組みする（図１４〜図１６参照）。こうして、ベース体４と被取付体５とを仮組みしたとき、支持手段Ｘ（詳細には、突片Ｘ１および支持部Ｘ２）によって、ベース体４と被取付体５とは、互いに離れた離間位置に仮支持される。そこで、通水管１を、仮組みされたベース体４と被取付体５との間（詳細には、第１抜脱防止部６ａと第２抜脱防止部６ｂとの間）を通って接続具本体３の受口３ａに挿入する（図１７および図１８参照）。その後、ベース体４と被取付体５とを近接させて組み付ける（図１９および図２０参照）。すなわち、例えばネジ部材１１をナット１２にねじ込むことで、ベース体４と被取付体５とを前記離間位置から近接する方向に押圧する。このとき、ベース体４と被取付体５との近接を許容するように、突片Ｘ１が支持部Ｘ２に押されて内側に向かって弾性変形する。こうして、ベース体４と被取付体５とを近接させて組み付けることができ、この組付により、通水管１は、接続具２０１に固定される。そして、このように、通水管１の接続にあたって、ベース体４と被取付体５とを離間位置に支持した状態で仮組みしておくことで、通水管１を接続具２０１に簡単に接続することができる。
【００４７】
もっとも、前記支持手段Ｘについては、ベース体４に突片Ｘ１と支持部Ｘ２とを設け、被取付体５に、前記突片Ｘ１と支持部Ｘ２とに対向するようにして支持部Ｘ２と突片Ｘ１とを設けてもよいが、ベース体４に複数の突片Ｘ１、Ｘ１を設け、被取付体５に、前記複数の突片Ｘ１、Ｘ１と対向するようにして複数の支持部Ｘ２、Ｘ２を設けてもよく、反対に、被取付体５に複数の突片Ｘ１、Ｘ１を設け、ベース体４に、前記複数の突片Ｘ１、Ｘ１と対向するようにして複数の支持部Ｘ２、Ｘ２を設けても構わない。また、支持手段Ｘを構成する突片Ｘ１は、ベース体４と被取付体５とを近接させるのに伴って弾性変形するように形成されなくとも、ベース体４と被取付体５とを近接させるのに伴って、あるいは近接させる前に、折り取られるものであってもよい。また、支持手段Ｘは、ベース体４と被取付体５とを離間位置に仮支持するようにそれらベース体４と被取付体５との間に配置されて、取り外し可能なスペーサーからなっていても構わない。
【図面の簡単な説明】
【００４８】
【図１】この発明の一実施の形態の、接続具本体の平断面図である。
【図２】同じく、接続具本体の右側面図である。
【図３】同じく、ベース体上で、接続具本体に通水管を挿入した状態を示す平面図である。
【図４】同じく、ベース体に被取付体を組み付ける過程を示す縦断面図である。
【図５】同じく、図４におけるＡ−Ａ線による断面図である。
【図６】同じく、ベース体に被取付体を組み付けた状態を示す縦断面図である。
【図７】同じく、図６におけるＢ−Ｂ線による断面図である。
【図８】同じく、接続具に断熱部材を取り付けた状態を示す縦断面図である。
【図９】同じく、受口の一つに接続アダプターを挿入した状態を示す縦断面図である。
【図１０】同じく、受口の一つに止水栓を挿入した状態を示す縦断面図である。
【図１１】この発明の他の実施の形態の、平面図である。
【図１２】同じく、図１１におけるＣ−Ｃ線による断面図である。
【図１３】この発明のさらに他の実施の形態の、分解斜視図である。
【図１４】同じく、ベース体と被取付体とを仮組みした状態を示す斜視図である。
【図１５】同じく、図１４におけるＤ−Ｄ線による断面図である。
【図１６】同じく、図１４におけるＥ−Ｅ線による断面図である。
【図１７】同じく、ベース体と被取付体とを仮組みした後に、接続具本体に通水管を挿入した状態を示す、図１５相当図である。
【図１８】同じく、仮組みした後に、接続具本体に通水管を挿入した状態を示す、図１６相当図である。
【図１９】同じく、ベース体と被取付体とを近接させて組み付けた状態を示す、図１５相当図である。
【図２０】同じく、ベース体と被取付体とを近接させて組み付けた状態を示す、図１６相当図である。
【図２１】従来の接続具を示す断面図である。
【符号の説明】
【００４９】
１  通水管
２、２０１  接続具
３  接続具本体
３ａ  受口
４  ベース体
５  被取付体
６  抜脱防止部
６ａ  第１抜脱防止部
６ｂ  第２抜脱防止部
６ｃ  係止爪
６ｄ  規制部
７  パッキン（止水部材）
１４  抜脱防止本体
１４ａ  ガイド面
１５  係止部材
６０１  第１の規制部（規制部）
６０２  第２の規制部（規制部）
６０３  第３の規制部（規制部）
６０４  第４の規制部（規制部）
Ｘ  支持手段
Ｘ１  突片
Ｘ２  支持部
【図１】
2007040516.tif 000003
【図２】
2007040516.tif 000004
【図３】
2007040516.tif 000005
【図４】
2007040516.tif 000006
【図５】
2007040516.tif 000007
【図６】
2007040516.tif 000008
【図７】
2007040516.tif 000009
【図８】
2007040516.tif 000010
【図９】
2007040516.tif 000011
【図１０】
2007040516.tif 000012
【図１１】
2007040516.tif 000013
【図１２】
2007040516.tif 000014
【図１３】
2007040516.tif 000015
【図１４】
2007040516.tif 000016
【図１５】
2007040516.tif 000017
【図１６】
2007040516.tif 000018
【図１７】
2007040516.tif 000019
【図１８】
2007040516.tif 000020
【図１９】
2007040516.tif 000021
【図２０】
2007040516.tif 000022
【図２１】
2007040516.tif 000023